(57)【要約】【課題】画像読み取り装置において省スペースを実現しつつ２本の線状部材に所望のテンションを実現しやすくする。【解決手段】第１ベルト駆動機構３９において、第１ベルト４５は、第１駆動プーリおよび第１従動プーリ４３に掛けられている。第１支持ブラケット５１は、シャーシ１３に対して走査方向位置を調整した上で固定可能であり、第１従動プーリ４３を支持する。第２ベルト駆動機構４０において、第２ベルト４６は、第２駆動プーリおよび第２従動プーリ４４に掛けられている。第２支持ブラケット５２は、シャーシ１３に対して走査方向位置を調整した上で固定可能であり、第２従動プーリ４４を支持する。第２支持ブラケット５２は、第１支持ブラケット５１と互いに支持し合うように組み合わせられている。【選択図】図７
2011146890.tif 000002
【特許請求の範囲】
【請求項１】
画像読み取り用載置台を構成する筐体と、
前記筐体内に配置された第１走査キャリッジと、
前記筐体内に配置された第２走査キャリッジと、
第１駆動プーリと、第１従動プーリと、前記第１駆動プーリおよび前記第１従動プーリに掛けられた第１線状部材と、前記筐体に対して走査方向位置を調整した上で固定可能であり前記第１従動プーリを支持するための第１ブラケットとを有しており、前記第１走査キャリッジを走査方向に駆動するための第１駆動機構と、
第２駆動プーリと、第２従動プーリと、前記第２駆動プーリおよび前記第２従動プーリに掛けられた第２線状部材と、前記筐体に対して前記走査方向位置を調整した上で固定可能であり前記第２従動プーリを支持するための部材であって前記第１ブラケットと互いに支持し合うように組み合わせられた第２ブラケットとを有しており、前記第２走査キャリッジを前記走査方向に駆動するための第２駆動機構と、
を備えた画像読み取り装置。
【請求項２】
前記第１ブラケットと前記第２ブラケットは、前記走査方向に相対位置を調整可能である、請求項１に記載の画像読み取り装置。
【請求項３】
前記第１ブラケットと前記第２ブラケットは、前記走査方向に互いにスライドさせることで相対移動可能である、請求項２に記載の画像読み取り装置。
【請求項４】
前記第１ブラケットおよび前記第２ブラケットの一方には前記走査方向に延びる長孔が形成されており、前記第１ブラケットおよび前記第２ブラケットの他方には前記長孔内に延びる突起が形成されている、請求項３に記載の画像読み取り装置。
【請求項５】
前記第１駆動機構は、前記走査方向において前記第１線状部材のテンションを高める向きに前記第１ブラケットを付勢する第１弾性部材をさらに有しており、
前記第２駆動機構は、前記走査方向において前記第２線状部材のテンションを高める向きに前記第２ブラケットを付勢する第２弾性部材をさらに有している、請求項１〜４のいずれかに記載の画像読み取り装置。
【発明の詳細な説明】
【技術分野】
【０００１】
本発明は、画像読み取り装置、特に、２台の走査キャリッジを用いた画像読み取り装置に関する。
【背景技術】
【０００２】
スキャナ、ファクシミリ、複写機等においては、ＣＣＤ（Ｃｈａｒｇｅ  Ｃｏｕｐｌｅｄ  Ｄｅｖｉｃｅ）等の縮小光学系の読み取りユニットを読み取り載置台に内蔵させたフラットベッドスキャナ（以下「ＦＢＳ」という。）を画像読み取り手段として用いるものがある（例えば、特許文献１を参照。）。
特許文献１では、コピー・ファクシミリ複合機１００は、読み取り載置台１０１と、原稿押さえカバー１０２とを有している。読み取り載置台１０１には、読み取るべき原稿を載置するプラテンガラス１１が設けられている。原稿押さえカバー１０２は、読み取り載置台１０１に回動自在に設けられ、原稿をプラテンガラス１１上に押圧して固定する。
【０００３】
読み取り載置台１０１には、ＣＣＤ読み取りユニット１２が内蔵されている。ＣＣＤ読み取りユニット１２は、読み取り載置台１０１内に設けられたガイドレール上を摺動可能に設けられたフルレートキャリッジ１２０およびハーフレートキャリッジ１２１を有している。フルレートキャリッジ１２０には、原稿に光を照射するための光源と、原稿からの反射光をハーフレートキャリッジ１２１へ導くための反射ミラーが設けられている。ハーフレートキャリッジ１２１には、反射光をスキャナユニット１２２のＣＣＤへ導くための反射ミラーが設けられている。画像読み取りのためには、フルレートキャリッジ１２０およびハーフレートキャリッジ１２１がプラテンガラス１１上の原稿を走査して、スキャナユニット１２２が原稿からの反射光を画像信号として読み取る。
【０００４】
ＣＣＤ読み取りユニット１２は、フルレートキャリッジ１２０およびハーフレートキャリッジ１２１を駆動するためのベルト駆動機構１３０をさらに有している。ベルト駆動機構１３０は、駆動プーリ１３１，１３２と、従動プーリ１３３，１３４と、それぞれ巻架され駆動軸の回転により周運動するようになっている２本のベルト１３５，１３６とを有している。従動プーリ１３３，１３４は支持ブラケット１８に支持されており、支持ブラケット１８がコイルスプリング２０によりベルト１３５，１３６を張る方向へ付勢されることにより、両ベルト１３５，１３６に張力が付与されている。
【先行技術文献】
【特許文献】
【０００５】
【特許文献１】特開２００５−１６７７６６号公報
【発明の概要】
【発明が解決しようとする課題】
【０００６】
特許文献１の支持ブラケット１８は、従動プーリ１３３と従動プーリ１３４とを、それぞれ所定位置に軸支している。支持ブラケット１８は、コイルスプリング２０に付勢されることにより各従動プーリ１３３，１３４にそれぞれ巻回されたベルト１３５，１３６に張力を付与する。支持ブラケット１８は、所定形状の板金を略Ｌ字に曲折して基部１８０および起立部１８１が形成されたものである。基部１８０は、基台１９上に支持ブラケット１８を載置して固定するためのものである。基部１８０には、基台１９の各突起１９２に対応する位置にベルト張設方向に長い長孔１８２，１８３がそれぞれ形成されている。各長孔１８２，１８３は各突起１９２と略同幅であり、突起１９２が嵌挿されることにより、基台１９上の支持ブラケット１８の位置決めを行うとともにベルト張設方向にのみ所定範囲で移動可能とするものである。さらに、基部１８０のベルト張設方向の両端付近には、ベルト張設方向に延びる長孔１８４がそれぞれ形成されている。長孔１８４は、基台１９のネジ孔１９３と対応しており、各長孔１８４にそれぞれ挿通されたネジ１８５がネジ孔１９３に螺合され、支持ブラケット１８と基台１９とを締結している。
【０００７】
起立部１８１には、ガイドレール１７の端部側に従動プーリ取り付け部１８６が形成され、従動プーリ取り付け部１８６とベルト張設方向の反対側にバネ受け部１８７が形成されている。基台１９のバネ受け部１９４は、支持ブラケット１８の基部１８０の長孔１８４を挿通されてバネ受け部１８７と対をなしている。バネ受け部１８７，１９４間にコイルスプリング２０が張架されることにより、支持ブラケット１８がベルト１３５，１３６を張る方向へ付勢されている。
【０００８】
従動プーリ取り付け部１８６には、２本のスタッド１８８，１８９が起立部１８１の左右へ突出するように設けられており、スタッド１８８，１８９に従動プーリ１３３，１３４が軸支されている。このように、２つの従動プーリ１３３，１３４を１つの支持ブラケット１８で軸支することにより、従動プーリ１３３，１３４の支持構造が簡単になっている。その結果、従動プーリ１３３，１３４等の組み付け作業が容易化され、また、部品点数が削減されて装置のコストダウンと省スペース化が実現できる。
【０００９】
しかし、上述のように２本のベルトに対して１つの支持ブラケットでテンションを発生させた構造では、以下のような問題がある。つまり、２本のベルトの長さが部品バラツキまたは経時変化によって異なってしまい、そのため２本のベルトに所望のテンションが得られないことがある。その場合には、ベルトにテンションの集中または不足が生じることで、２つのキャリッジの駆動が不安定になってしまう。
【００１０】
本発明の課題は、画像読み取り装置において省スペースを実現しつつ２本の線状部材に所望のテンションを実現しやすくすることにある。
【課題を解決するための手段】
【００１１】
本発明に係る画像読み取り装置は、筐体と、第１走査キャリッジと、第２走査キャリッジと、第１駆動機構と、第２駆動機構とを備えている。筐体は、画像読み取り用載置台を構成する。第１走査キャリッジは、筐体内に配置されている。第２走査キャリッジは、筐体内に配置されている。第１駆動機構は、第１駆動プーリと、第１従動プーリと、第１線状部材と、第１ブラケットとを有しており、第１走査キャリッジを走査方向に駆動する。第１線状部材は、第１駆動プーリおよび第１従動プーリに掛けられている。第１ブラケットは、筐体に対して走査方向位置を調整した上で固定可能であり、第１従動プーリを支持する。第２駆動機構は、第２駆動プーリと、第２従動プーリと、第２線状部材と、第２ブラケットとを有しており、第２走査キャリッジを走査方向に駆動する。第２線状部材は、第２駆動プーリおよび第２従動プーリに掛けられている。第２ブラケットは、筐体に対して走査方向位置を調整した上で固定可能であり、第２従動プーリを支持する。第２ブラケットは、第１ブラケットと互いに支持し合うように組み合わせられている。
この装置では、第１ブラケットと第２ブラケットが別体として設けられているので、第１線状部材と第２線状部材に独立してテンションを設定することができる。したがって、第１線状部材と第２線状部材に所望のテンションが得られやすくなる。さらに、第１ブラケットと第２ブラケットが互いに支持し合うように組み合わせられているので、両ブラケットを位置決めするための構造を簡単にすることができ、その結果両ブラケットを小型化できる。
なお、線状部材とは、ベルトのみならず、ワイヤも含んでいる。
【００１２】
第１ブラケットと第２ブラケットは、走査方向に相対位置を調整可能であってもよい。
この装置では、第１ブラケットと第２ブラケットを走査方向に相対位置を調整することで、線状部材のテンションを個別に調整できる。
【００１３】
第１ブラケットと第２ブラケットは、走査方向に互いにスライドさせることで相対移動可能であってもよい。
この装置では、第１ブラケットと第２ブラケットは互いにスライドするための、走査方向と異なる方向への移動が規制されており、そのため互いに安定的に支持されている。
【００１４】
第１ブラケットおよび第２ブラケットの一方には走査方向に延びる長孔が形成されており、第１ブラケットおよび第２ブラケットの他方には長孔内に延びる突起が形成されていてもよい。
この装置では、簡単な構造によって、第１ブラケットと第２ブラケットが走査方向にのみ相対位置が調整可能になっている。
【００１５】
第１駆動機構は、走査方向において第１線状部材のテンションを高める向きに第１ブラケットを付勢する第１弾性部材をさらに有していてもよい。その場合、第２駆動機構は、走査方向において第２線状部材のテンションを高める向きに第２ブラケットを付勢する第２弾性部材をさらに有していてもよい。
この装置では、２つの弾性部材が設けられているので、各線状部材に合わせて異なる弾性部材を採用することができる。
【発明の効果】
【００１６】
本発明に係る画像読み取り装置では、省スペースを実現しつつ所望のテンションを第１線状部材および第２線状部材に実現しやすくなる。
【図面の簡単な説明】
【００１７】
【図１】本発明の実施の形態に係る画像読み取り装置を備えるコピー・ファクシミリ複合機の上部の外観斜視図。
【図２】コピー・ファクシミリ複合機の上部の断面図。
【図３】シャーシの外観斜視図。
【図４】ベルト駆動機構の一部の概略断面図。
【図５】ブラケット組立体の組み立て後の外観斜視図。
【図６】ブラケット組立体の組み立て前の外観斜視図。
【図７】ブラケット組立体の組み立て後の外観斜視図。
【図８】ブラケット組立体の組み立て前の外観斜視図。
【発明を実施するための形態】
【００１８】
（１）コピー・ファクシミリ複合機
図１および図２を用いてコピー・ファクシミリ複合機１を説明する。図１は、本発明の実施の形態に係る画像読み取り装置を備えるコピー・ファクシミリ複合機１の上部の外観斜視図である。図２は、コピー・ファクシミリ複合機の上部の断面図である。
以下、装置左右方向（ベルト張設方向であり、キャリッジの走査方向である）を「Ｘ方向」として、装置前後方向を「Ｙ方向」とする。なお、Ｘ方向とＹ方向とは互いに直交している。
【００１９】
コピー・ファクシミリ複合機１は、ＦＢＳ（Ｆｌａｔ  Ｂｅｄ  Ｓｃａｎｎｅｒ）として機能する読み取り載置台２と、読み取り載置台２に開閉自在に取り付けられた原稿押さえカバー３と有している。原稿押さえカバー３には、図２に示すように、オート・ドキュメント・フィーダ（以下、「ＡＤＦ」という。）４が設けられている。読み取り載置台２のＹ方向前側部分には、操作パネル５が装着されている。図には示していないが、コピー・ファクシミリ複合機１は、画像記録部、画像送信部、および給紙カセット等の周知の構成も備えている。
【００２０】
（２）読み取り載置台
読み取り載置台２は、図２に示すように、プラテンガラス１１が天面に設けられた筐体１０と、筐体１０内に設けられたＣＣＤ読み取りユニット１２とを有している。プラテンガラス１１上に載置された原稿を原稿押さえカバー３を閉じて固定した状態で、ＣＣＤ読み取りユニット１２が画像読み取りを行うようになっている。
【００２１】
（２−１）筐体
読み取り載置台２の筐体１０は、図２に示すように、シャーシ１３と、樹脂製のカバー（図示せず）とを有している。カバーはシャーシ１３の上部に取り付けられている。シャーシ１３は、図３に示すように、４つの側壁部材１４ａ，１４ｂ，１４ｃ，１４ｄからなるフレーム１５と、フレーム１５の下側に配設されてシャーシ１３の底部を構成するボトムシャーシ１６とから構成されている。図３は、シャーシの外観斜視図である。
【００２２】
また、各側壁部材１４ａ，１４ｂ，１４ｃ，１４ｄは、板金の上端部が断面Ｌ字状に内側へ曲折されてなるものであり、上端部がプラテンガラス１１を支持している。また、側壁部材１４ａ，１４ｂ，１４ｃ，１４ｄは、下端部も断面Ｌ字状に内側へ曲折されており、下端部がボトムシャーシ１６とネジ止めにより連結固定されている。また、読み取り載置台２の後背面側となる側壁部材１４ａ、および正面側となる側壁部材１４ｂは、所定の高さで、水平方向内側へ略直角に曲折されることにより水平面が形成されている。そして、その水平面がＣＣＤ読み取りユニット１２を構成するフルレートキャリッジ２１およびハーフレートキャリッジ２（後述）２を摺動可能に担持するガイドレール１７となる。
【００２３】
（２−２）ＣＣＤ読み取りユニット
ＣＣＤ読み取りユニット１２は、原稿に光を照射するとともに原稿からの反射光をイメージセンサが設けられた所定位置に導き、反射光を電気信号に変換する装置である。ＣＣＤ読み取りユニット１２は、図２に示すように、プラテンガラス１１と平行に走査されるフルレートキャリッジ２１およびハーフレートキャリッジ２２と、スキャナユニット２３とを有している。フルレートキャリッジ２１は、キャリッジ本体２５と、光源２６と、反射ミラー２７とを有している。キャリッジ本体２５は、ガイドレール１７上を移動する。光源２６は、キャリッジ本体２５に搭載され、原稿に光を照射する。反射ミラー２７は、キャリッジ本体２５に搭載され、原稿からの反射光ＲをＸ方向へ反射してハーフレートキャリッジ２２へ導く。ハーフレートキャリッジ２２は、ガイドレール１７上を移動するキャリッジ本体２８と、２枚の反射ミラー２９とを有している。反射ミラー２９は、キャリッジ本体２８に設けられ、フルレートキャリッジ２１からの反射光Ｒをスキャナユニット２３へ導く。また、スキャナユニット２３は、ハーフレートキャリッジ２２からの反射光Ｒを収束する結像レンズ３０と、その収束光を電気信号に変換するためのＣＣＤイメージセンサ３１とを有している。ＣＣＤイメージセンサ３１は、結像レンズ３０の光軸上に位置するように調整されている。
【００２４】
原稿の画像読み取りを行う際は、フルレートキャリッジ２１が、光源２６から光を発しながらプラテンガラス１１上の原稿に対して平行に移動される。その結果、原稿の読み取り面に光源２６の光がＸ方向に順次照射され、その光の反射光Ｒが反射ミラー２７によりハーフレートキャリッジ２２へ反射される。ハーフレートキャリッジ２２もフルレートキャリッジ２１と同時に移動されて、フルレートキャリッジ２１からの反射光Ｒを２枚の反射ミラー２９で反射してスキャナユニット２３へ導く。そして、スキャナユニット２３により、反射光ＲがＣＣＤイメージセンサ３１に読み取られて電気信号として出力され、電気信号に基づいて原稿の画像が記録部により記録用紙に記録され、または送信部により送信される。
【００２５】
一方、フルレートキャリッジ２１およびハーフレートキャリッジ２２は、ガイドレール１７によりそれぞれ摺動可能に担持され、筐体１０のＸ方向両側に配設された第１ベルト駆動機構３９および第２ベルト駆動機構４０により走査されるようになっている。図４には、第１ベルト駆動機構３９および第２ベルト駆動機構４０のＸ方向片側部分が示されている。図４は、ベルト駆動機構の一部の概略断面図である。第１ベルト駆動機構３９は、第１駆動プーリ４１と、第１従動プーリ４３間に巻架された第１ベルト４５が駆動軸４７の回転により周運動するように構成されたものである。第２ベルト駆動機構４０は、第２駆動プーリ４２と、第２従動プーリ４４間に巻架された第２ベルト４６が駆動軸４７の回転により周運動するように構成されたものである。駆動軸４７には、図示しないモータから動力が伝達される。
【００２６】
第１ベルト４５にフルレートキャリッジ２１が固定され、第２ベルト４６にハーフレートキャリッジ２２が固定されている。第１駆動プーリ４１および第２駆動プーリ４２はいずれも駆動軸４７に固定されており、フルレートキャリッジ２１およびハーフレートキャリッジ２２の走査範囲は第１駆動プーリ４１および第２駆動プーリ４２のギア比により設定されている。具体的には、第１駆動プーリ４１に対して第２駆動プーリ４２のギア比が、略１／２となっている。これにより、フルレートキャリッジ２１の走査速度に対して略１／２の速度でハーフレートキャリッジ２２が走査され、フルレートキャリッジ２１の走査距離に対してハーフレートキャリッジ２２の走査距離が半分となる。
【００２７】
（３）従動プーリの支持構造
図５〜図８を用いて、第１従動プーリ４３および第２従動プーリ４４の支持構造について説明する。図５〜図８は、ブラケット組立体の組み立て前後の外観斜視図である。
【００２８】
図５〜図８は、ブラケット組立体５０を示している。ブラケット組立体５０は、第１ベルト駆動機構３９および第２ベルト駆動機構４０を構成する第１従動プーリ４３および第２従動プーリ４４を支持する部材である。ブラケット組立体５０は、例えば、図２および図３の位置Ｐ１にＹ方向前後対称に配設される。ブラケット組立体５０は、フレーム１５に、基台３４を介して固定されている。
【００２９】
基台３４は、ブラケット組立体５０を位置決めする機能と、第１ベルト４５および第２ベルト４６の張力に対する強度をフレーム１５に与える機能とを有している。基台３４は、比較的厚みの厚い略矩形の板金の両側を下方へ曲折し、その上面でブラケット組立体５０を担持して所定の高さに配置するようになっている。詳細には、基台３４は、本体５５と、第１側方部５６と、第２側方部５７と、突片５８と、嵌合片５９とを有している。第１側方部５６は、本体５５のＹ方向前側端から下方に延びる。第２側方部５７は、本体５５のＹ方向後側端から下方に延びる。突片５８は、本体５５のＸ方向右側端に形成されている。嵌合片５９は、本体５５のＸ方向左側端に形成されている。突片５８には、ネジ貫通孔６０が形成されており、ネジ貫通孔６０を挿通した第１ネジ８７がフレーム１５の下端部に形成されたネジ孔（図示せず）と螺合することにより、突片５８がフレーム１５に固定される。嵌合片５９は、水平方向に突出しており、側壁部材に形成された嵌合溝（図示せず）に嵌入される。これら突片５８および嵌合片５９により、基台３４が、フレーム１５の所望の位置に位置決めされて固定される。
【００３０】
さらに、基台３４は、本体５５の両側から上方に起こされた第１バネ係止部６１および第２バネ係止部６２を有している。第１バネ係止部６１は、本体５５のＹ方向後側端に形成されており、フック形状を有している。第２バネ係止部６２は、本体５５のＹ方向前側端に形成されており、フック形状を有している。第１バネ係止部６１は第２バネ係止部６２に対してＸ方向左側にずれて配置されている。
【００３１】
次に、ブラケット組立体５０について説明する。ブラケット組立体５０は、主に、第１支持ブラケット５１と、第２支持ブラケット５２とを有している。
【００３２】
第１支持ブラケット５１は、第１従動プーリ４３を所定の位置に軸支するための部材である。また、第１支持ブラケット５１は、第１コイルスプリング９１（後述）に付勢されることにより、第１従動プーリ４３に巻回された第１ベルト４５に張力を付与する。具体的には、第１支持ブラケット５１は、所定形状の板金を略Ｌ字に曲折して基部６３および起立部６４が形成されたものである。基部６３は、基台３４上に第１支持ブラケット５１を載置して固定するためのものであり、基台３４のＹ方向後側部分に載置されている。
【００３３】
基部６３には、基台３４の円柱状の突起９３に対応する位置に、Ｘ方向に長い長孔６３ａが形成されている。長孔６３ａは突起９３と略同幅であり、突起９３が嵌挿されることにより、基台３４上の位置決めを行うとともに第１支持ブラケット５１がＸ方向にのみ所定範囲で移動可能とするものである。
【００３４】
起立部６４は、基部６３のＸ方向左側部分から延びる第１部分６５と、Ｘ方向に延びる第２部分６６と、基部６３のＸ方向右側部分から延びる第３部分６７とを有しており、第２部分６６は第１部分６５の上端と第３部分６７の上端とを連結している。第１部分６５の上端には、さらに、プーリ取り付け部６８が設けられている。プーリ取り付け部６８には、第１従動プーリ４３が取り付けられている。起立部６４において、第１部分６５と、第２部分６６と、第３部分６７との間には、Ｘ方向に延びるスリット６９が形成されている。
【００３５】
さらに、第１部分６５には、Ｘ方向に所定の長さで延びる第１長孔７０が形成されている。第２部分６６には、Ｘ方向に所定の長さで延びる第２長孔７１が形成されている。また、第２部分６６のスリット６９側近傍部分には、孔形状のバネ係止部７２が形成されている。
【００３６】
第２支持ブラケット５２は、第２従動プーリ４４を所定の位置に軸支するための部材である。また、第２支持ブラケット５２は、第２コイルスプリング９２（後述）に付勢されることにより第２従動プーリ４４に巻回された第２ベルト４６に張力を付与する。具体的には、第２支持ブラケット５２は、所定形状の板金を略Ｌ字に曲折して基部７４および起立部７５が形成されたものである。基部７４は、基台３４上に第２支持ブラケット５２を載置して固定するためのものであり、基台３４のＹ方向前側部分に載置されている。基台３４は、Ｘ方向左側の第１部分７６と、Ｘ方向右側の第２部分７７とを有している。
【００３７】
基部７４の第２部分７７には、基台３４の円柱状の突起９５に対応する位置にＸ方向に長い長孔７７ａが形成されている。長孔７７ａは突起９５と略同幅であり、突起９５が嵌挿されることにより、基台３４上の位置決めを行うとともに第２支持ブラケット５２がＸ方向にのみ所定範囲で移動可能とするものである。
【００３８】
起立部７５は、Ｘ方向左側の第１部分７８と、Ｘ方向に延びる第２部分７９と、Ｘ方向右側の第３部分８０とを有している。第１部分７８は、基部７４の第１部分７６から延びている。第３部分８０は、基部７４の第２部分７７から延びている。第２部分７９は、第１部分７８の上端と第３部分８０の上端とを連結している。第１部分７８の上端には、さらに、プーリ取り付け部８１が設けられている。プーリ取り付け部８１には、第２従動プーリ４４が取り付けられている。起立部７５において、第１部分７８と、第２部分７９と、第３部分８０との間には、Ｘ方向に延びるスリット８２が形成されている。
【００３９】
さらに、第１部分７８のＹ方向後側面には、Ｙ方向後側に延びる円柱状の第１突起８４が形成されている。第２部分７９のＹ方向後側面には、Ｙ方向後側に延びる円柱状の第２突起８５が形成されている。また、基部７４の第２部分７７のスリット８２側端部は、第２部分７７から起こされたバネ係止部８６が設けられている。
【００４０】
（４）第１支持ブラケットと第２支持ブラケットの組み合わせ状態
次に、第１支持ブラケット５１と、第２支持ブラケット５２の組み合わせ状態を説明する。第１支持ブラケット５１の起立部６４と、第２支持ブラケット５２の起立部７５は互いにＹ方向に当たっている。この場合、第１部分６５と第１部分７８とが、第２部分６６と第２部分７９とが、第３部分６７と第３部分８０とが概ね対応している。この当たった状態において、第１突起８４が第１長孔７０に挿入され、第２突起８５が第２長孔７１に挿入されている。突起の直径は長孔の幅方向長さと概ね等しいので、両者が組み合わせられた状態で第１支持ブラケット５１と第２支持ブラケット５２はＸ方向にのみ相対移動可能になっている。
【００４１】
第１支持ブラケット５１は、第２ネジ８８によって基台３４に固定されている。第１支持ブラケット５１の基部６３のＸ方向右側端にはネジ貫通孔（図示せず）が形成され、第２ネジ８８がネジ貫通孔（図示せず）を通って基台３４のネジ螺合孔（図示せず）に螺合している。なお、基部６３のネジ貫通孔（図示せず）はＸ方向に長く延びている。したがって、第２ネジ８８を基部６３と基台３４とを締結しない程度に締めておくことにより、第１ベルト４５の張力による基部６３の浮き上がりを防止しながら、第１支持ブラケット５１をＸ方向に移動させて位置を調整した上で固定することができる。
【００４２】
第２支持ブラケット５２は、第３ネジ８９によって、基台３４に固定されている。第２支持ブラケット５２の基部７４の第１部分７６にはネジ貫通孔（図示せず）が形成され、第３ネジ８９がネジ貫通孔（図示せず）を通って基台３４のネジ螺合孔３４ａに螺合している。なお、基部７４のネジ貫通孔（図示せず）はＸ方向に長く延びている。したがって、第３ネジ８９を基部７４と基台３４とを締結しない程度に締めておくことにより、第２ベルト４６の張力による基部７４の浮き上がりを防止しながら、第２支持ブラケット５２をＸ方向に移動させて位置を調整した上で固定することができる。
【００４３】
第１ベルト駆動機構３９は、Ｘ方向において第１ベルト４５のテンションを高める向きに第１支持ブラケット５１を付勢する第１コイルスプリング９１をさらに有している。第２ベルト駆動機構４０は、Ｘ方向において第２ベルト４６のテンションを高める向きに第２支持ブラケット５２を付勢する第２コイルスプリング９２をさらに有している。
【００４４】
第１コイルスプリング９１は、基台３４の第１バネ係止部６１と、第１支持ブラケット５１のバネ係止部７２との間に掛け渡されている。これにより、第１ベルト４５に張力を高めるように付勢力が与えられている。第２コイルスプリング９２は、基台３４の第２バネ係止部６２と、第２支持ブラケット５２のバネ係止部８６との間に掛け渡されている。これにより、第２ベルト４６に張力を高めるように付勢力が与えられている。
【００４５】
なお、第１コイルスプリング９１は、スリット６９内に一部が入るように配置されており、第１支持ブラケット５１の基部６３の端部よりＹ方向後側にはみ出していない。さらに、第２コイルスプリング９２は、スリット８２内に一部が入るように配置されており、第２支持ブラケット５２の基部７４の第１部分７６および第２部分７７の端部よりＹ方向前側にはみ出していない。さらに、第１コイルスプリング９１と第２コイルスプリング９２はＹ方向に当たらない範囲で近接している。以上の構成により、ブラケット組立体５０のＹ方向寸法が小さく維持されている。
【００４６】
以上に述べたように、第１コイルスプリング９１および第２コイルスプリング９２が設けられているので、両ベルトに合わせて異なるコイルスプリングを採用することができる。
【００４７】
（５）ブラケット組立体の組立方法
第１に、基台３４をシャーシ１３に固定する。具体的には、基台３４を所定の位置に配置して、第１ネジ８７をネジ貫通孔６０に通してシャーシ１３のネジ孔（図示せず）に螺合する。
【００４８】
第２に、第１支持ブラケット５１を基台３４に固定する。具体的には、第１支持ブラケット５１の基部６３を基台３４の本体５５に載せる。このとき、基台３４の突起９３に長孔６３ａを嵌め、さらに第２ネジ８８を第１支持ブラケット５１の長孔（図示せず）に通して基台３４のネジ螺合孔（図示せず）に螺合する。このとき、第２ネジ８８を完全に締め付けることを行わず第１支持ブラケット５１を基台３４に対してＸ方向に移動可能としておき、その状態で第１コイルスプリング９１を第１バネ係止部６１とバネ係止部７２とに掛け渡す。これにより、第１コイルスプリング９１の引っ張り力によって第１支持ブラケット５１が第１ベルト４５に張力を与える方向に移動する。この後、第１ベルト４５の緊張力と第１コイルスプリング９１の付勢力とが均衡した状態において、第２ネジ８８を締め付けて第１支持ブラケット５１を基台３４に移動不能に固定する。このようにして、第１コイルスプリング９１の付勢力による張力を第１ベルト４５に付与することができる。
【００４９】
第３に、第２支持ブラケット５２を基台３４に固定する。具体的には、第２支持ブラケット５２の基部７４を基台３４の本体５５に載せ、第２支持ブラケット５２の起立部７５を第１支持ブラケット５１の起立部６４に対して接触させる。このとき、基台３４の突起９５に長孔７７ａを嵌め、さらに第３ネジ８９を第２支持ブラケット５２の第１部分７６のネジ貫通孔（図示せず）を通して基台３４のネジ螺合孔３４ａに螺合する。このとき、第３ネジ８９ネジを完全に締め付けることを行わず第１支持ブラケット５１を基台３４に対してＸ方向に移動可能としておき、その状態で第２コイルスプリング９２を第２バネ係止部６２とバネ係止部８６とに掛け渡す。これにより、第２コイルスプリング９２の引っ張り力によって第２支持ブラケット５２が第２ベルト４６に張力を与える方向に移動する。この後、第２ベルト４６の緊張力と第２コイルスプリング９２の付勢力とが均衡した状態において、第３ネジ８９を締め付けて第２支持ブラケット５２を基台３４に移動不能に固定する。このようにして、第２コイルスプリング９２の付勢力による張力を第２ベルト４６に付与することができる。
【００５０】
以上の動作において、第２支持ブラケット５２は第１支持ブラケット５１によって支持されながらＸ方向に移動できるので、調整動作が容易かつ正確になる。具体的には、第２支持ブラケット５２の起立部７５が第１支持ブラケット５１の起立部６４に対してＹ方向に当たった状態でＸ方向に摺動する。この場合、第１支持ブラケット５１と第２支持ブラケット５２は互いにスライドするため、Ｘ方向と異なる方向への移動が規制されており、そのため互いに安定的に支持されている。また、第２支持ブラケット５２は第１支持ブラケット５１に対して第１突起８４と第１長孔７０との組み合わせおよび第２突起８５と第２長孔７１との組み合わせによって、Ｘ方向にのみ移動可能になっている。したがって、第２支持ブラケット５２の調整動作が容易かつ正確になる。このようにして、簡単な構造によって、第１支持ブラケット５１と第２支持ブラケット５２がＸ方向に相対位置が調整可能になっている。
【００５１】
以上に述べたように、第１支持ブラケット５１と第２支持ブラケット５２をＸ方向に相対位置を調整することで、第１ベルト４５および第２ベルト４６のテンションを個別に調整できる
【００５２】
（６）本発明の特徴
以上に述べたように、第１支持ブラケット５１と第２支持ブラケット５２が別体として設けられているので、第１ベルト４５と第２ベルト４６に独立してテンションを設定することができる。したがって、第１ベルト４５と第２ベルト４６に所望のテンションが得られやすくなる。さらに、第１支持ブラケット５１と第２支持ブラケット５２が互いに支持し合うように組み合わせられているので、両ブラケットを位置決めするための構造を簡単にすることができ、その結果両ブラケットを小型化できる。言い換えると、両ブラケットは互いに密着して、Ｘ方向には相対移動可能であるが、上下方向、斜め方向、互いに接近する方向に相対移動不能になっている。また、両ブラケットは互いに密着してガイドし合っているので、２体になっているのにもかかわらず従来よりスペースが大きくなることがない。
具体的には、第２支持ブラケット５２の位置を規制する構造は、第１支持ブラケット５１と第２支持ブラケット５２との間に長孔と突起との組み合わせによって実現されている。これにより、第１支持ブラケット５１と第２ブラケットを最大限接近させて寸法を小型化できるし、さらには第２支持ブラケット５２の位置を規制する構造を基台３４に設ける必要が無くなる。
【００５３】
（７）他の実施形態
以上、本発明の一実施形態について説明したが、本発明は上記実施形態に限定されるものではなく、発明の要旨を逸脱しない範囲で種々の変更が可能である。
【００５４】
前記実施形態の構成は、コピー・ファクシミリ複合機に限らず、例えば、コピー機、イメージスキャナに適用できる。
前記実施形態では第１ブラケットおよび第２ブラケットは基台に装着されていたが、本発明はその実施形態に限定されない。第１ブラケットおよび第２ブラケットはシャーシそのものまたはシャーシに装着された他の部材に取り付けられてもよい。
規制構造における突起と長孔の関係は、取り付けられる部材が反対であってもよい。
プーリに掛けられる部材は、ベルトに限定されず、線状部材であればよい。例えば、ワイヤでもよい。
【産業上の利用可能性】
【００５５】
本発明は、２台の走査キャリッジを用いた画像読み取り装置に広く適用できる。
【符号の説明】
【００５６】
１        コピー・ファクシミリ複合機
２        読み取り載置台
３        原稿押さえカバー
４        オート・ドキュメント・フィーダ
５        操作パネル
１０      筐体
１１      プラテンガラス
１２      ＣＣＤ読み取りユニット
１３      シャーシ
１４ａ    側壁部材
１４ｂ    側壁部材
１４ｃ    側壁部材
１４ｄ    側壁部材
１５      フレーム
１６      ボトムシャーシ
１７      ガイドレール
２１      フルレートキャリッジ（第１走査キャリッジ）
２２      ハーフレートキャリッジ（第２走査キャリッジ）
２３      スキャナユニット
２５      キャリッジ本体
２６      光源
２７      反射ミラー
２８      キャリッジ本体
２９      反射ミラー
３０      結像レンズ
３１      ＣＣＤイメージセンサ
３４      基台
３９      第１ベルト駆動機構（第１駆動機構）
４０      第２ベルト駆動機構（第２駆動機構）
４１      第１駆動プーリ
４２      第２駆動プーリ
４３      第１従動プーリ
４４      第２従動プーリ
４５      第１ベルト（第１線状部材）
４６      第２ベルト（第２線状部材）
４７      駆動軸
５０      ブラケット組立体
５１      第１支持ブラケット（第１ブラケット）
５２      第２支持ブラケット（第２ブラケット）
５５      本体
５６      第１側方部
５７      第２側方部
５８      突片
５９      嵌合片
６０      ネジ貫通孔
６１      第１バネ係止部
６２      第２バネ係止部
６３      基部
６３ａ    長孔
６４      起立部
６５      第１部分
６６      第２部分
６７      第３部分
６８      プーリ取り付け部
６９      スリット
７０      第１長孔
７１      第２長孔
７２      バネ係止部
７４      基部
７５      起立部
７６      第１部分
７７      第２部分
７７ａ    長孔
７８      第１部分
７９      第２部分
８０      第３部分
８１      プーリ取り付け部
８２      スリット
８４      第１突起
８５      第２突起
８６      バネ係止部
８７      第１ネジ
８８      第２ネジ
８９      第３ネジ
９１      第１コイルスプリング（第１弾性部材）
９２      第２コイルスプリング（第２弾性部材）
９３      突起
９５      突起
【図１】
2011146890.tif 000003
【図２】
2011146890.tif 000004
【図３】
2011146890.tif 000005
【図４】
2011146890.tif 000006
【図５】
2011146890.tif 000007
【図６】
2011146890.tif 000008
【図７】
2011146890.tif 000009
【図８】
2011146890.tif 000010